(57)【要約】【課題】  製造安定性、低温耐衝撃性に優れる熱可塑性樹脂組成物および成形品を提供する。【解決手段】  本発明の熱可塑性樹脂組成物は、エチレン・プロピレン・非共役ジエン共重合体および低分子量変性α−オレフィン共重合体を含有し、架橋度が１５〜５５質量％であるゴム質重合体（Ａ）４５〜７５質量％に、芳香族ビニル系単量体およびシアン化ビニル系単量体を含有する単量体混合物（Ｂ）５５〜２５質量％が乳化グラフト重合したグラフト重合体（Ｃ）１５〜４４質量部と、芳香族ビニル単量体およびシアン化ビニル系単量体が共重合した共重合体（Ｄ）８５〜５６質量部とが含まれている（ただし、グラフト重合体（Ｃ）と共重合体（Ｄ）の合計１００質量部）。【選択図】      なし【特許請求の範囲】
【請求項１】
エチレン・プロピレン・非共役ジエン共重合体および低分子量変性α−オレフィン共重合体を含有し、架橋度が１５〜５５質量％であるゴム質重合体（Ａ）４５〜７５質量％に、芳香族ビニル系単量体およびシアン化ビニル系単量体を含有する単量体混合物（Ｂ）５５〜２５質量％が乳化グラフト重合したグラフト重合体（Ｃ）１５〜４４質量部と、
芳香族ビニル系単量体およびシアン化ビニル系単量体が共重合した共重合体（Ｄ）８５〜５６質量部とが含まれている（ただし、グラフト重合体（Ｃ）と共重合体（Ｄ）の合計１００質量部）ことを特徴とする熱可塑性樹脂組成物。
【請求項２】
請求項１に記載の熱可塑性樹脂組成物からなることを特徴とする成形品。
【発明の詳細な説明】
【技術分野】
【０００１】
本発明は、自動車外装部品等に使用される熱可塑性樹脂組成物および成形品に関する。
【背景技術】
【０００２】
例えば、バンパー、ドアミラー、リアスポイラーなどの自動車外装部品等には熱可塑性樹脂組成物の成形品が使用されている。その用途の成形品には、耐衝撃性が高いことが求められ、その要求を満たす材料としては、例えば、ＡＢＳ樹脂やＡＳＡ樹脂、ポリメタクリル酸メチル樹脂等の熱可塑性樹脂が挙げられる。さらに、ＡＢＳ樹脂のうち、芳香族ビニル単量体、シアン化ビニル単量体およびN−芳香族置換マレイミドからなる共重合体と、共役ジエン系ゴムの存在下で芳香族ビニル単量体およびシアン化ビニル単量体を共重合させて得たグラフト重合体とからなる耐熱性ＡＢＳ樹脂が使用されることもある。
【０００３】
また、エチレン・プロピレン・非共役ジエン共重合体ゴムの存在下に、芳香族ビニル系単量体、シアン化ビニル系単量体をグラフト重合してなるグラフト重合体を含有するＡＥＳ樹脂を使用することもある。このＡＥＳ樹脂は、主鎖に二重結合を持たないエチレン・プロピレン・非共役ジエン共重合体をゴム成分として用いているため、共役ジエン系ゴムを用いたＡＢＳ樹脂に比べ、紫外線、酸素およびオゾンに対する抵抗力が大きく、耐候性に優れ、外装部品に適している。
ＡＥＳ樹脂としては、例えば特許文献１に、エチレン・プロピレン・非共役ジエン共重合ゴムラテックスに芳香族ビニル系単量体を乳化グラフト重合して得たグラフト重合体を含むものが提案されている。また、特許文献２，３には、特定ゲル分率のエチレン・プロピレン・非共役ジエン共重合ゴムラテックスに特定の製法で芳香族ビニル系単量体およびシアン化ビニル系単量体を乳化グラフト重合して得たグラフト重合体を含むものが提案されている（特許文献２，３参照）。
【特許文献１】特開昭６３−２９１９１３号公報
【特許文献２】特開昭６３−２９１９４２号公報
【特許文献３】特開昭６３−２９１９４３号公報
【発明の開示】
【発明が解決しようとする課題】
【０００４】
しかしながら、特許文献１〜３に記載のＡＥＳ樹脂は製造安定性に優れるものの、耐衝撃性、特に低温面衝撃性については要求レベルに達しないことがあった。すなわち、特許文献１〜３に記載のＡＥＳ樹脂は、製造安定性、耐衝撃性、特に低温面衝撃性を兼ね備えたものではなかった。
本発明の目的は、上記課題を解決して、製造安定性、耐衝撃性、特に低温面衝撃性を兼ね備えた熱可塑性樹脂組成物および成形品を提供することにある。
【課題を解決するための手段】
【０００５】
本発明の熱可塑性樹脂組成物は、エチレン・プロピレン・非共役ジエン共重合体および低分子量変性α−オレフィン共重合体を含有し、架橋度が１５〜５５質量％であるゴム質重合体（Ａ）４５〜７５質量％に、芳香族ビニル系単量体およびシアン化ビニル系単量体を含有する単量体混合物（Ｂ）５５〜２５質量％が乳化グラフト重合したグラフト重合体（Ｃ）１５〜４４質量部と、芳香族ビニル系単量体およびシアン化ビニル系単量体が共重合した共重合体（Ｄ）８５〜５６質量部とが含まれている（ただし、グラフト重合体（Ｃ）と共重合体（Ｄ）の合計１００質量部）ことを特徴とする。
本発明の成形品は、上述した熱可塑性樹脂組成物からなることを特徴とする。
【発明の効果】
【０００６】
本発明の熱可塑性樹脂組成物および成形品は、製造安定性に優れる上に、耐衝撃性、特に低温耐衝撃性にも優れる。
【発明を実施するための最良の形態】
【０００７】
＜グラフト重合体（Ｃ）＞
グラフト重合体（Ｃ）は、エチレン・プロピレン・非共役ジエン共重合体（以下、「ＥＰＤＭ」と略称する）および低分子量変性α−オレフィン共重合体を含有するゴム質重合体（Ａ）に単量体混合物（Ｂ）が乳化グラフト重合したものである。
【０００８】
ゴム質重合体（Ａ）は架橋度が１５〜５５質量％である。ゴム質重合体（Ａ）の架橋度が１５〜５５質量％であることで、低温ノッチ付耐衝撃性と低温面衝撃性とをともに高くできる。しかし、架橋度が１５質量％未満の場合には耐衝撃性が低く、５５質量％を超えると低温面衝撃性が低い。
ここで、架橋度は、ゴム質重合体のラテックスを希硫酸にて凝固させ、水洗乾燥した後、その乾燥物を１ｇ採取して２００ｍｌ、１２５℃のトルエン中に４０時間浸漬し、次いで、２００メッシュ金網にて濾過し、残渣を乾燥し、その乾燥物の質量を測定して求められる。
架橋度（％）＝乾燥物質量（g）／試料質量（g）×１００
【０００９】
ゴム質重合体（Ａ）の架橋度を調整するためには、未架橋のゴム質重合体を架橋処理する方法が採られる。架橋処理する方法としては、未架橋のゴム質重合体ラテックスの固形分１００質量部に対して、ｔ−ブチル−クミルパーオキサイド等の有機過酸化物を０．３〜５質量部およびジビニルベンゼン等の多官能性化合物を０．１〜５質量部添加して、６０〜１４０℃で、０．５〜７時間程度反応させる方法などが挙げられる。
【００１０】
ゴム質重合体（Ａ）に含まれるＥＰＤＭ中の非共役ジエン成分としては特に制限はないが、１，４−ヘキサジエン、５−エチリデン−２−ノルボルネン、５−ビニルノルボルネンおよびジシクロペンタジエン等が好ましい。
【００１１】
ゴム質重合体（Ａ）はＥＰＤＭ以外のゴム成分を含有してもよい。ＥＰＤＭ以外のゴム成分の例としては、ポリブタジエン、ポリブタジエンの水素添加物、ポリイソプレン、スチレン−ブタジエン共重合体、スチレン−イソプレン共重合体、ブタジエン−アクリロニトリル共重合体、エチレン−ブテン−１−（非共役ジエン）共重合体、イソブチレン−イソプレン共重合体、アクリルゴム、スチレン−ブタジエン−スチレンブロック共重合体、スチレン−イソプレン−スチレンブロック共重合体、ＳＥＢＳ等の水素添加ジエン系（ブロック、ランダムおよびホモ）（共）重合体、ポリウレタンゴムおよびシリコーンゴム等が挙げられる。
【００１２】
低分子量変性α−オレフィン共重合体は、α−オレフィン共重合体が官能基を有する化合物で変性され、質量平均分子量が１０００〜５０００のものである。例えば、α−オレフィン９９．８〜８０質量％と不飽和カルボン酸系化合物０．２〜２０質量％とが共重合した変性ポリエチレン等が挙げられる。ここで、α−オレフィンとしては、エチレン等が挙げられ、不飽和カルボン酸系化合物としては、例えば、アクリル酸、マレイン酸、イタコン酸、無水マレイン酸、無水イタコン酸およびマレイン酸モノアミドが挙げられる。
この低分子量変性α−オレフィン共重合体がゴム質重合体（Ａ）に含まれることで、乳化安定性を高くできるので、製造安定性が高くなる。
【００１３】
ゴム質重合体（Ａ）中の低分子量変性α−オレフィン共重合体の含有量は、ＥＰＤＭ１００質量部に対して０．１〜３０質量部であることが好ましい。低分子量変性α−オレフィン共重合体の含有量が０．１質量部以上であれば、より安定に乳化グラフト重合できるが、３０質量部を超えると得られる熱可塑性樹脂組成物の物性バランスが低下する傾向にある。
【００１４】
ゴム質重合体（Ａ）は、得られる熱可塑性樹脂組成物の物性バランスに優れることから、平均粒子径が０．２〜１μｍであることが好ましい。平均粒子径が０．２μｍ未満の場合には、得られる熱可塑性樹脂組成物の耐衝撃性が低くなることがあり、１μｍを超える場合には、光沢が低下して表面外観が悪化する傾向にある。
【００１５】
ゴム質重合体（Ａ）はラテックスの状態で乳化グラフト重合に供される。
ゴム質重合体ラテックスを調製する方法としては、公知の溶融混練手段でＥＰＤＭと低分子量変性α−オレフィン共重合体の所定量を混練し、機械的剪断力を与えて充分に分散させ、その混練物を、乳化剤を含む水性媒体に添加する方法が挙げられる。この方法によれば、安定なゴム質重合体のラテックスを得ることができる。
このラテックスの調製方法における溶融混練手段としては特に制限はないが、ニーダー、バンバリーミキサー、多軸スクリュー押出機が好ましい。また、乳化剤としては、例えば、オレイン酸カリウムや不均化ロジン酸カリウム等のアニオン系界面活性剤などが用いられる。乳化剤の添加量は、ＥＰＤＭ１００質量部に対して１〜１０質量部とするのが好ましい。なお、乳化剤は、例えばオレイン酸をＥＰＤＭと低分子量変性α−オレフィン共重合体にあらかじめ混合しておき、これに水酸化カリウム水溶液を添加して、オレイン酸カリウムを生成させて添加することもできる。
【００１６】
＜単量体混合物（Ｂ）＞
単量体混合物（Ｂ）は、芳香族ビニル系単量体およびシアン化ビニル系単量体を必須成分として含み、これらと重合可能な他のビニル系単量体を任意成分として含む混合物である。
芳香族ビニル系単量体としては、例えば、スチレン、α−メチルスチレン、ｐ−メチルスチレン等が挙げられる。
シアン化ビニル系単量体としては、例えば、アクリロニトリル、メタクリロニトリル等が挙げられる。
他のビニル系単量体としては、例えば、アクリル酸メチル、アクリル酸エチル、アクリル酸プロピルおよびアクリル酸ブチル等のアクリル酸アルキルエステルや、メタクリル酸メチル、メタクリル酸エチル、メタクリル酸プロピレンおよびメタクリル酸ブチル等のメタクリル酸アルキルエステル等が挙げられる。これらの中でも、アクリル酸ブチルまたはメタクリル酸メチルが好ましく用いられる。
また、他のビニル系単量体としては、マレイミド、Ｎ−メチルマレイミド、Ｎ−ブチルマレイミド、Ｎ−フェニルマレイミド、Ｎ−（２−メチルフェニル）マレイミド、Ｎ−（４−ヒドロキシフェニル）マレイミド、Ｎ−シクロヘキシルマレイミド等のＮ−置換マレイミド系単量体が挙げられる。
【００１７】
単量体混合物（Ｂ）の組成は、得られる熱可塑性樹脂組成物の物性バランスに優れることから、芳香族ビニル系単量体が６５〜９０質量%、シアン化ビニル系単量体が３５〜１０質量%、他のビニル系単量体が０〜２０質量%であることが好ましい。
【００１８】
＜グラフト重合体（Ｃ）の製造方法＞
グラフト重合体（Ｃ）を製造する方法としては、ゴム質重合体（Ａ）のラテックスに単量体混合物（Ｂ）を添加し、所定の重合温度に加熱して乳化グラフト重合させる方法が挙げられる。中でも、単量体混合物（Ｂ）にレドックス系開始剤を混合した上で、単量体混合物（Ｂ）を１時間以上にわたって、ゴム質重合体（Ａ）のラテックスに連続的に添加することが好ましい。単量体混合物（Ｂ）の添加時間が１時間未満の場合、ラテックス安定性が低下して重合収率が低下することがある。
重合後のグラフト重合体（Ｃ）には、必要に応じて酸化防止剤を添加してもよい。
【００１９】
ここで使用されるレドックス系開始剤としては、油溶性有機過酸化物と硫酸第一鉄−キレート剤−還元剤とが組み合わされたものが好ましい。油溶性有機過酸化物としては、クメンハイドロパーオキサイド、ジイソプロピルベンゼンハイドロパーオキサイド、ターシャリーブチルハイドロパーオキサイド等が挙げられる。より好ましいレドックス系開始剤としては、クメンハイドロパーオキサイド、硫酸第一鉄、ピロリン酸ナトリウム、デキストロースからなるものである。
【００２０】
グラフト重合体（Ｃ）においては、ゴム質重合体（Ａ）４５〜７５質量％（固形分として）に、単量体混合物（Ｂ）５５〜２５質量％を重合する（（Ａ）と（Ｂ）の合計１００質量％）。ゴム質重合体（Ａ）が４５質量％未満である（単量体混合物が５５質量％を超える）と耐衝撃性が低くなり、ゴム質重合体（Ａ）が７５質量％を超える（単量体混合物が２５質量％未満である）場合にも耐衝撃性が低くなる。
【００２１】
上記グラフト重合体の製造方法によりグラフト重合体ラテックスが得られる。グラフト重合体ラテックスからグラフト重合体（Ｃ）を回収する方法としては、例えば、グラフト重合体ラテックスに析出剤を添加し、加熱、攪拌した後、析出剤を分離し、これを水洗、脱水、乾燥する析出法が採用される。析出法における析出剤としては、例えば、硫酸、酢酸、塩化カルシウムまたは硫酸マグネシウム等の水溶液を単独で使用あるいは併用できる。
【００２２】
＜共重合体（Ｄ）＞
共重合体（Ｄ）は、芳香族ビニル単量体とシアン化ビニル系単量体とが共重合したものである。また、この共重合体（Ｄ）には、芳香族ビニル系単量体およびシアン化ビニル系単量体と共重合可能な他のビニル系単量体が共重合していてもよい。
芳香族ビニル系単量体、シアン化ビニル系単量体、他のビニル系単量体の具体例としては、単量体混合物（Ｂ）と同様のものが挙げられる。
共重合体（Ｄ）の組成には特に制限はないが、芳香族ビニル系単量体６０〜７６質量%、シアン化ビニル系単量体４０〜２４質量%およびこれらの単量体と共重合可能な単量体０〜２０質量%を構成単位として含むものが好ましい。
【００２３】
共重合体（Ｄ）の製造には、乳化重合や懸濁重合等の重合法が採用される。共重合体（Ｄ）を乳化重合で製造する場合、反応器内に各単量体と乳化剤と重合開始剤と連鎖移動剤とを仕込み、加熱して重合し、得られた共重合体ラテックスから析出法により共重合体（Ｄ）を回収する。
ここで、乳化剤としては、ロジン酸カリウムおよびアルキルベンゼンスルホン酸ナトリウム等の一般的な乳化重合用乳化剤を用いることができる。また、重合開始剤としては、有機、無機の過酸化物系開始剤を用いることができ、連鎖移動剤としては、メルカプタン類、α−メチルスチレンダイマー、テルペン類等を用いることができる。析出法としては、グラフト重合体ラテックスからグラフト重合体（Ｃ）を回収するのと同様の方法を採用できる。
【００２４】
懸濁重合で製造する場合、反応器内に各単量体と懸濁剤と懸濁助剤と重合開始剤と連鎖移動剤とを仕込み、加熱して重合し、得られた共重合体スラリーを脱水して共重合体（Ｄ）を回収する。
ここで、懸濁剤としては、トリカルシウムフォスファイト、ポリビニルアルコール等を用いることができ、懸濁助剤としては、アルキルベンゼンスルホン酸ナトリウム等が用いることができる。また、重合開始剤としては、有機パーオキサイド類を用いることができ、連鎖移動剤としては、メルカプタン類、α−メチルスチレンダイマー、テルペン類等を用いることができる。
【００２５】
＜熱可塑性樹脂組成物＞
熱可塑性樹脂組成物は、低温耐衝撃性をはじめとする物性バランスが良くなることから、グラフト重合体（Ｃ）と共重合体（Ｄ）の合計１００質量部に対し、上述したグラフト重合体（Ｃ）の含有量が１５〜４４質量部および共重合体（Ｄ）の含有量が８５〜５６質量部であり、グラフト重合体（Ｃ）の含有量が２５〜３７質量部および共重合体（Ｄ）の含有量が７５〜６３質量部であることが好ましい。グラフト重合体（Ｃ）の含有量が１５質量部未満（共重合体（Ｄ）の含有量が８５質量部を超える）であると耐衝撃性が低くなり、グラフト重合体（Ｃ）の含有量が４４質量部を超える（共重合体（Ｄ）の含有量が５６質量部未満）と物性バランスが悪くなる。
【００２６】
熱可塑性樹脂組成物は、グラフト重合体（Ｃ）、共重合体（Ｄ）と、必要に応じて、酸化防止剤、滑剤、加工助剤、顔料、充填剤などの添加剤とを混合し、例えば、押出機、バンバリーミキサーまたは混練ロール等にてペレット化することで容易に製造される。
【００２７】
この熱可塑性樹脂組成物は耐衝撃性に優れるだけでなく、発色性が高いものであり、着色する場合に適している。熱可塑性樹脂組成物を着色する場合には、添加剤として、例えば、着色顔料、染料、カーボンブラック、酸化チタンなどの着色剤を使用する。
【００２８】
＜成形品＞
次に、本発明の成形品について説明する。本発明の成形品は、上述した熱可塑性樹脂組成物を成形したものである。成形方法としては、例えば、射出成形法、プレス成形法、押出成形法、真空成形法、ブロー成形法などが挙げられる。
本発明の成形品は、バンパー、ドアミラー、リアスポイラーなどの自動車外装部品等に好適であるが、それ以外の用途にも適用できる。
【実施例】
【００２９】
以下、製造例、実施例および比較例を挙げて本発明を更に具体的に説明するが、本発明はその要旨を超えない限り、以下の実施例に限定されるものではない。なお、以下において、「部」は「質量部」、「％」は「質量％」を意味する。
【００３０】
「製造例１」ゴム質重合体の製造（Ａ−１）
ＥＰＤＭ（三井化学（株）製ＴＰ３１８０）１００部、低分子量変性ポリエチレン（三井化学（株）製  ハイワックス２２０３Ａ）９部、更に、オレイン酸カリウム２．６部を混合した。次いで、それらの混合物を２軸スクリュー押出機（池貝鉄鋼（株）製ＰＣＭ−３０型、Ｌ／Ｄ＝４０）のホッパーより６ｋｇ／時間で供給し、水酸化カリウム１５％水溶液を１１０ｇ／時間で連続的に供給しながら、加熱温度２００℃で溶融混練して溶融物を押出した。引き続き、溶融物を同押出機先端に取り付けた冷却用一軸押出機に連続的に供給し、９０℃まで冷却した。取り出した固体を８０℃の温水中に投入し、連続的に分散させて、平均粒子径０．３５μｍのゴム質重合体ラテックスを得た。
【００３１】
このラテックスの固形分１００部に対してｔ−ブチル−クミルパーオキサイドを０．５部、ジビニルベンゼンを１．０部添加し、１３５℃で５時間反応させて、ゴム質重合体（Ａ−１）を調製した。
このゴム質重合体（Ａ−１）の架橋度を測定したところ３７％であった。なお、架橋度は、ゴム質重合体ラテックスを希硫酸にて凝固させ、水洗乾燥した後、これを１ｇ採取して２００ｍｌのトルエン中に４０時間浸漬し、次いで、２００メッシュ金網にて濾過し、残渣を乾燥し、その質量を測定して求めた。
【００３２】
「製造例２」
ｔ−ブチル−クミルパーオキサイドの添加量を０．８４部にしたこと以外は製造例１と同様にしてゴム質重合体（Ａ−２）を調製した。ゴム質重合体（Ａ−２）の架橋度は５２％であった。
「製造例３」
ｔ−ブチル−クミルパーオキサイドの添加量を２．０部にしたこと以外は製造例１と同様にしてゴム質重合体（Ａ−３）を調製した。ゴム質重合体（Ａ−３）の架橋度は８７％であった。
「製造例４」
ジ−ｔ−ブチル−クミルパーオキサイドの添加量を０．２部にしたこと以外は製造例１と同様にしてゴム質重合体（Ａ−４）を調製した。ゴム質重合体（Ａ−４）の架橋度は１２％であった。
「製造例５」
ジ−ｔ−ブチル−クミルパーオキサイドの添加量を０．０５部にしたこと以外は製造例１と同様にしてゴム質重合体（Ａ−５）を調製した。ゴム質重合体（Ａ−５）の架橋度は２％であった。
【００３３】
「製造例６」グラフト重合体の製造方法（Ｃ−１）
攪拌機付きステンレス重合槽に、イオン交換水１８０部、ゴム質重合体（Ａ−１）を固形分として６０部、オレイン酸０．３部、硫酸第一鉄０．００６部、ピロリン酸ナトリウム０．２３部およびデキストロース０．３５部を仕込み、温度を８０℃とした。次に、アクリロニトリル１３．６部、スチレン２６．４部およびクメンハイドロパーオキサイド０．６部を１７０分連続的に添加し、重合温度を８０℃一定に保ち乳化グラフト重合を行った。重合終了後のモノマー転化率は９５％であった。
重合後、得られたグラフト重合体ラテックスに酸化防止剤を添加し、硫酸にて固形分の析出を行い、洗浄、脱水、乾燥の工程を経て、粉末状のグラフト重合体（Ｃ−１）を得た。
【００３４】
「製造例７」
ゴム質重合体（Ａ−１）の代わりにゴム質重合体（Ａ−２）を用いたこと以外は製造例６と同様にしてグラフト重合体（Ｃ−２）を得た。
「製造例８」
ゴム質重合体（Ａ−１）の代わりにゴム質重合体（Ａ−３）を用いたこと以外は製造例６と同様にしてグラフト重合体（Ｃ−３）を得た。
「製造例９」
ゴム質重合体（Ａ−１）の代わりにゴム質重合体（Ａ−４）を用いたこと以外は製造例６と同様にしてグラフト重合体（Ｃ−４）を得た。
「製造例１０」
ゴム質重合体（Ａ−１）の代わりにゴム質重合体（Ａ−５）を用いたこと以外は製造例６と同様にしてグラフト重合体（Ｃ−５）を得た。
なお、表１に、製造例６〜１０におけるゴム質重合体の種類および量、単量体混合物の量を示す。
【００３５】
【表１】
2006193581.tif 000002
【００３６】
「製造例１１」共重合体の製造法（Ｄ）
窒素置換した攪拌機付きステンレス重合反応槽反応器に、イオン交換水１２０部、ポリビニルアルコール０．１部、アゾビスイソブチロニトリル０．３部、アクリロニトリル３４部、スチレン６６部、ｔ−ドデシルメルカプタン０．３部を仕込んだ。そして、反応器の温度５０℃にして５時間加熱した後、１２０℃に昇温し、４時間重合した後に抜き出して共重合体（Ｄ）を得た。その重合におけるモノマー転化率は９８%であり、得られた共重合体（Ｄ）の質量平均分子量は１．０×１０５であった。
【００３７】
（実施例１，２および比較例１〜３）
上述した方法で得た各成分を表２に示す配合で混合し、その混合物を押出機で溶融混練して熱可塑性樹脂組成物を得た。
【００３８】
【表２】
2006193581.tif 000003
【００３９】
得られた熱可塑性樹脂組成物の機械的強度、耐衝撃性、面衝撃性について以下のように評価した。評価結果を表２に示す。
機械的強度：東芝機械製射出成形機ＩＳ５５ＦＰ−１．５Ａを用い、ＩＳＯ  ３１６７に準拠して試験片を作成し、曲げ強度をＩＳＯ  １７８の方法に準拠して測定した。
ノッチ付耐衝撃性：東芝機械製射出成形機ＩＳ５５ＦＰ−１．５Ａを用い、ＩＳＯ  ３１６７に準拠して試験片を作製し、ＩＳＯ  １７９の方法に準拠して測定した。
面衝撃性：日本製鋼所製射出成形機ＪＳＷ−７５ＥIIＰを用い、１００mm×１００mm×３mm試験片を作成し、島津製作所製高速衝撃試験機ＨＭＴ−１型を用い、面衝撃性を測定した。
【００４０】
本願請求項１の範囲を満たす実施例１，２は、耐衝撃性と面衝撃性とが−３０℃であってもともに高かった。一方、ゴム質重合体の架橋度が５５％を超えた比較例１はノッチ付耐衝撃性が低く、ゴム質重合体の架橋度が１５％未満の比較例２，３はさらにノッチ付耐衝撃性、面衝撃性が低かった。